(57)【要約】【課題】使用者の口腔部から出る分泌液を排出し、かつ歯磨き中に歯ブラシを握る使用者の手を液体が汚すことを防止する。【解決手段】本考案は、頸部と、頸部上に設けられた毛部とを具備するブラシヘッドと、第１開口部と第２開口部とがそれぞれ２つの両端に形成されている排水路を形成している中空のブラシの柄とを具備する、分泌液排出に適合された中空の歯ブラシに関する。頸部は、第１開口部を通って、排水路に挿入され、頸部からブラシの柄まで放射状に延びる複数のリブとともに形成されており、前記リブによって、ブラシヘッドをブラシの柄に安全に固定している。歯磨き中に、歯磨き粉と唾液の混合流が、頸部を伝って、第１開口部を通って、ブラシの柄に流れ、かつそれから、第２開口部を通ってブラシの柄から流れ出る。従って、混合流が歯ブラシを握る使用者の手を汚すことを防止する。【選択図】図１
0003132573.tif 000002
【実用新案登録請求の範囲】
【請求項１】
分泌液排出に適合された中空の歯ブラシであって、
頸部と、頸部に設けられた毛部とを具備するブラシヘッドと、
第１端部から第２端部まで、長軸方向に延びている排水路を形成し、第１開口部と第２開口部とがそれぞれ２つの両端部に設けられている中空のブラシの柄とを具備し、
頸部は、第１開口部を通して排水路に部分的に挿入され、ブラシの柄と連結するために複数のリブがブラシ頸部から放射状に延びており、ブラシヘッドは前記リブによってブラシの柄に連結され、かつ複数の流れチャネルがリブ間に設けられ、かつ排水路に軸方向に通じていることを特徴とする歯ブラシ。
【請求項２】
ブラシの柄が、第１開口部に集水口フランジとともに形成されることを特徴とする請求項１に記載の中空の歯ブラシ。
【請求項３】
各リブが、それぞれ第１開口部と近接した傾斜（ｓｌａｎｔ）とともに形成されていることを特徴とする請求項１に記載の中空の歯ブラシ。
【請求項４】
各リブが、傾斜の自由端上の刃とともに形成されることを特徴とする請求項３に記載の中空の歯ブラシ。
【請求項５】
リブが、頸部上に角をつけて等間隔に配置された２つのリブであることを特徴とする請求項１に記載の中空の歯ブラシ。
【請求項６】
リブが、頸部上に角をつけて等間隔に配置された３つのリブであることを特徴とする請求項１に記載の中空の歯ブラシ。
【請求項７】
リブが、頸部上に角をつけて等間隔に配置された４つのリブであることを特徴とする請求項１に記載の中空の歯ブラシ。
【考案の詳細な説明】
【技術分野】
【０００１】
本考案は、歯ブラシに関する。より具体的には、分泌液排出に適合された中空の歯ブラシであり、使用者の口腔部から出る分泌液を排出し、かつ歯磨き中に歯ブラシを握る使用者の手を液体が汚すことを防止するように適合される。
【背景技術】
【０００２】
歯ブラシは、今日の家庭において、歯を磨くための、不可欠な日用品として公知の道具である。
【０００３】
一般的に、歯ブラシを使う方法は、歯磨き粉をブラシの毛につけ、歯ブラシの柄の部分を握り、かつそれから往復させて歯を磨く方法である。
【０００４】
ところが、歯を磨く間、使用者から分泌される唾液が、ブラシの毛につけた歯磨き粉と混ざり、ねばねばした、非常に不快な液体を形成する。そして、歯ブラシを握る使用者の手は、歯ブラシを伝って流れる混合液によって汚される。
【０００５】
上記を鑑みると、歯磨き中に、歯磨き粉と唾液との混合液が使用者の手を汚すことを防止する、一般人向けの歯ブラシを提供することが必要である。
【考案の開示】
【考案が解決しようとする課題】
【０００６】
本考案の目的は、分泌液排出に適合された中空の歯ブラシを提供し、歯磨き粉と唾液との混合液が、歯磨き中の使用者の手を汚すことを防止することである。
【課題を解決するための手段】
【０００７】
上記の目的を達成するために、本考案の分泌液排出に適合された中空の歯ブラシは、頸部と、頸部に配置された（ｄｉｓｐｏｓｅｄ）毛部と、柄の２つの両端にそれぞれ形成された第１開口部から第２開口部まで、柄の長さの分の排水路を形成する中空のブラシの柄とを具備する。ブラシヘッドの頸部は、第１開口部を通して排水路に部分的に挿入され、かつブラシの柄に連結するために、頸部から放射状に伸びる複数のリブとともに形成され、ブラシヘッドをリブによってブラシの柄に安全に固定している。複数の流れチャネルが、リブによって設けられ、軸方向に排水路に通じている。
【考案の効果】
【０００８】
本考案の歯ブラシを使用するときは、使用者はブラシの柄を握り、ブラシヘッドの毛部を使用して歯を磨く。歯磨き中に、歯磨き粉と唾液との混合液が、ブラシヘッドの頸部を伝って下方に流れる。ブラシの柄の第１端部の周囲に形成された集水口フランジが、液体を回収して、こぼすのを防止する。その際、混合液は、第１開口部から、柄の内部のリブによって設けられた流れチャネルへと流れる。分泌液は、それから、流れチャネルと流れが通じている排水路に流れる。最後に、分泌液は、第２開口部を通って柄の外に流れる。即ち、混合液が使用者の手を汚すという望まれない状況が回避される。
【０００９】
本考案の上記及び他の目的及び利点は、以下の本考案の詳細な説明及び添付図面から、当業者に明らかになる。しかしながら、前記説明は、本考案の好ましい実施形態を説明するためのものに過ぎず、本考案をいかなる形態に限定するものでもない。本考案と同一の趣旨に基づくいかなる修正例、もしくは変形例も、本考案の守備範囲内であると解する。
【考案を実施するための最良の形態】
【００１０】
図１に示されるように、本考案の中空の歯ブラシ１０は、歯磨き中の歯磨き粉と唾液との混合液を、（図１内の矢印ＡとＢとによって示される）適切な方向に排出して、歯ブラシ１０を握る使用者の手を汚さないようにするように適合されている。
【００１１】
分泌液排出に適合された中空の歯ブラシ１０は、頸部１１１と、頸部１１１上に設けられた毛部１１２とを具備するブラシヘッド１１と、第１端部１２６から第２端部１２７まで長軸方向に延びる排水路１２１とを具備し、第１開口部１２２と第２開口部１２３とが、それぞれ２つの両端部１２６と１２７とに形成されている。ブラシヘッド１１の頸部１１１は、第一開口部１２２を通って、ブラシの柄１２の排水路１２１に部分的に挿入されている。複数のリブ１１３は、ブラシヘッド１１の頸部１１１上に統合形成され、かつ頸部１１１から柄１２の内壁１２８まで放射状に延びており、ブラシヘッド１１の頸部１１１と柄１２とを安全に係合させて、それによってブラシヘッド１１をブラシの柄１２上に固定するようになっている。この好ましい実施形態においては、ブラシヘッド１１の頸部１１１上に統合形成されたリブ１１３は、締まりばめ（ｉｎｔｅｒｆｅｒｅｎｃｅ  ｆｉｔ）によって、もしくは何らかの適切な接着接合によって、ブラシの柄１２の内壁１１８と係合する。また一方、リブ１１３は、ブラシヘッド１１の頸部１１１と、ブラシの柄１２の内壁１２８とともに一体形成されても良い。
【００１２】
ブラシヘッド１１の頸部１１１が、排水路１２１内部に挿入された時、複数の流れチャネル１１４が、各リブ１１３と、柄１２の内壁１２８と、ブラシヘッド１１の頸部１１１との間に設けられる（ｄｅｆｉｎｅ）。流れチャネル１１４は、ブラシの柄１２の軸方向に沿って、排水路１２１と流れが通じている。集水口フランジ１２４は、第１開口部１２２の周りに形成され、ブラシの柄１２から放射状に延びており、分泌液の集水効率を向上するために第１開口部１２２に集水領域を形成している。
【００１３】
ブラシの柄１２の内壁１２８は、（図１に示されるように）外側に向かってアーチをなすようにして、流れチャネル１１４の断面のサイズを増やしてもよく、もしくは、（図３に示されるように）平らな壁面でも良い。
【００１４】
歯ブラシ１０が使用されている時は、使用者はブラシの柄１２を握り、ブラシヘッド１１の毛部１１２を使用して歯を磨く。磨く間に、もし柄１２がブラシヘッド１１の下部に来た場合、歯磨き粉と唾液との混合液は、ブラシヘッド１１の頸部１１１を伝って下方に流れ、集水口フランジ１２４が、液体を回収し、こぼれるのを防止する。それから、混合液は、第１開口端１２２を通って、柄１２内のリブ１１３によって設けられた流れチャネル１１４へと流れる。それから、分泌液は、長軸方向に流れチャネル１１４に通じている排水路１２１へ流れる。最後に、分泌液は、第２開口部１２３を通って頸部１２の外へ流れる。即ち、混合液が、使用者の手を汚す状況を回避する。
【００１５】
分泌液が流れチャネル１１４へ滑らかに流れるようにするために、各リブ１１３は、それぞれ、第一開口部に近接した鋭い傾斜１１５とともに形成される  
【００１６】
さらに、混合液内の泡が、流れチャネル１１４の入口部分を遮断するのを防止するように、各リブ１１３は、それぞれ傾斜１１５の自由端上の刃１１６とともに形成され、泡を切る。
【００１７】
図４Ａは、本考案の第１実施形態による、分泌液排出に適合された中空の歯ブラシの横断断面を図示している。図４Ｂは、本考案の第２実施形態による、分泌液排出に適合された中空の歯ブラシの横断断面を図示している。図４Ｃは、本考案の第３実施形態による、分泌液排出に適合された中空の歯ブラシの横断断面を図示している。上記図面に示されるように、頸部１１１の断面は、どのような形状でも良く、楕円のような形状（図４Ａに図示）、長方形のような形状（図４Ｂに図示）、もしくは円形（図４Ｃに図示）でも良い。さらに、ブラシヘッド１１１と、ブラシの柄１２とを連結するリブ１１３の数は、制限されない。例えば、３個のリブ１１３（図４Ａを参照）が、頸部１１１上に、角をなすように、等距離に配置され、それによって３個の流れチャネル１１４が、ブラシの柄１２の内壁１２８と、ブラシヘッド１１の頸部１１１との間に形成される。もしくは、２個のリブ１１３（図４Ｂを参照）が、頸部１１１上に、角をなすように、等距離に配置され、それによって２個の流れチャネル１１４が形成される。もしくは、４個のリブ１１３（図４Ｃを参照）が、頸部１１１上に、角をなすように、等距離に配置され、それによって４個の流れチャネル１１４が形成される。
【００１８】
特定の実施形態と関連づけて本考案について説明されてきたが、当業者には、他の多くの変形例、修正例、及び他の利用例が明らかである。それゆえ、本考案は、この特定の開示内容によって限定されるのではなく、実用新案登録請求の範囲によってのみ限定されるべきである。
【図面の簡単な説明】
【００１９】
【図１】図１は、本考案の一実施形態による、分泌液排出に適合された中空の歯ブラシの、長軸方向の断面図である。
【図２】図２は、本考案の一実施形態による、分泌液排出に適合された中空の歯ブラシのブラシヘッドの頸部の部分説明図である。
【図３】図３は、本考案の一実施形態による、分泌液排出に適合された中空の歯ブラシの部分断面図である。
【図４Ａ】図４Ａは、本考案の一実施形態による、分泌液排出に適合された中空の歯ブラシの横断断面図である。
【図４Ｂ】図４Ｂは、本考案の第２実施形態による、分泌液排出に適合された中空の歯ブラシの横断断面図である。
【図４Ｃ】図４Ｃは、本考案の第３実施形態による、分泌液排出に適合された中空の歯ブラシの横断断面図である。
【符号の説明】
【００２０】
１０  歯ブラシ
１１  ブラシヘッド
１２  ブラシの柄
１１１  頸部
１１２  毛部
１１３  リブ
１１５  傾斜
１１６  刃
１２１  排水路
１２２  第１開口部
１２３  第２開口部
１２４  集水口フランジ
１２６  第１端部
１２７  第２端部
１２８  内壁
【図１】
0003132573.tif 000003
【図２】
0003132573.tif 000004
【図３】
0003132573.tif 000005
【図４Ａ】
0003132573.tif 000006
【図４Ｂ】
0003132573.tif 000007
【図４Ｃ】
0003132573.tif 000008